(57)【要約】【課題】パイプ内に特殊な仕掛けを必要とせず、またストッパー板を使用しなくとも、地下水が通る通水路を容易に形成可能な通水路形成パイプ部材、通水路を有する地中連続壁、および地中連続壁の通水路形成方法を提供する。【解決手段】通水路形成パイプ部材１を用い、この通水路形成パイプ部材１の左下に開口するパイプ部１ｂの開口２ｂと右下に開口するパイプ部１ｄの開口２ｄをそれぞれ封鎖材で塞ぐ。通水路形成パイプ部材１を地中連続壁のソイルセメント１０内に沈設する。ソイルセメント１０が流動性を失った後、右上に開口するパイプ部１ａと左上に開口するパイプ部１ｃより掘削装置をそれぞれ挿入して左下に開口するパイプ部１ｂと右下に開口するパイプ部１ｄにそれぞれ取り付けられた封鎖材を除去して、左下に開口するパイプ部１ｂと右下に開口するパイプ部１ｄとこれらパイプ部の間に設置された水平パイプ部４とからなる通水路を形成する。【選択図】　　　　　　　　　　　図１
2004092181.tif 000002
【特許請求の範囲】
【請求項１】
右上に開口するパイプ部と左下に開口するパイプ部、および左上に開口するパイプ部と右下に開口するパイプ部とがそれぞれ互いに一直線となるように連通して形成され、かつ前記左下に開口するパイプ部と前記右下に開口するパイプ部との間に双方のパイプ部に連通する水平パイプ部が設けられてなることを特徴とする地中連続壁の通水路形成パイプ部材。
【請求項２】
右上に開口するパイプ部と左下に開口するパイプ部、および左上に開口するパイプ部と右下に開口するパイプ部とがそれぞれ互いに一直線となるように連通して形成され、前記左下に開口するパイプ部と前記右下に開口するパイプ部との間に双方のパイプ部に連通する水平パイプ部が設けられ、前記左下に開口するパイプ部と前記右下に開口するパイプ部がそれぞれ、地中連続壁補強用断面Ｈ型の鋼製部材のフランジ部に設けられた穴部と連通し、かつ前記各パイプ部が前記鋼製部材のフランジ部またはウェブ部の少なくとも一方に固定されてなることを特徴とする地中連続壁の通水路形成パイプ部材。
【請求項３】
地中連続壁内に通水路形成パイプ部材が埋設され、前記通水路形成パイプ部材の右上に開口するパイプ部と左下に開口するパイプ部、および左上に開口するパイプ部と右下に開口するパイプ部とがそれぞれ互いに一直線となるように連通して形成され、前記左下に開口するパイプ部と前記右下に開口するパイプ部との間に双方のパイプ部に連通する水平パイプ部が設けられ、かつ前記左下に開口するパイプ部と前記右下に開口するパイプ部と前記水平パイプ部とから前記地中連続壁を貫通する通水路が形成されてなることを特徴とする通水路を有する地中連続壁。
【請求項４】
右上に開口するパイプ部と左下に開口するパイプ部、および左上に開口するパイプ部と右下に開口するパイプ部とがそれぞれ互いに一直線となるように連通して形成され、かつ前記左下に開口するパイプ部と前記右下に開口するパイプ部との間に双方のパイプ部に連通する水平パイプ部が設けられてなる通水路形成パイプ部材を、前記左下に開口するパイプ部と前記右下に開口するパイプ部をそれぞれ封鎖材で塞いだ状態で、地中連続壁のソイルセメント内に沈設し、前記ソイルセメントが流動性を失った後、前記右上に開口するパイプ部と左上に開口するパイプ部より掘削装置をそれぞれ挿入して前記封鎖材と前記ソイルセメントの一部を除去することにより、前記左下に開口するパイプ部と前記右下に開口するパイプ部と前記水平パイプ部とからなる通水路を形成することを特徴とする地中連続壁の通水路形成方法。
【発明の詳細な説明】
【０００１】
【発明の属する技術分野】
本願発明は地下水を通すための通水路を有する地中連続壁、地中連続壁に通水路を形成するための地下通水路の形成方法および地下通水路形成用パイプ部材に関する。
【０００２】
【従来の技術】
地中連続壁を構築すると、その地中連続壁により地下水流が遮断され、上流側の地下水位の上昇や下流側の水位の低下など、地中連続壁の存在が地下水流の挙動に大きな影響を与えるので、従来から地中連続壁に地下水の通水路を確保する試みが種々提案されている。
【０００３】
例えば、特開平０７−７６８２８号公報では、地中連続壁を構築する際に、ウォータージェットノズル部を有する高圧パイプを保護筒によって周囲を保護した状態で予め埋設し、地中連続壁の構築が終了した後、ジェットノズル部から高圧水を噴射させることにより、地中連続壁の一部を破砕して地中連続壁を横断する方向に貫通する空間（通水路）を形成することが提案されている。
【０００４】
しかしながら、この方法では地中連続壁を横断する方向に貫通する空間（通水路）の形状を制御することは困難であり、単なるひび割れになる恐れがある。
【０００５】
それ故、特開平０８−２８４１５４号公報では、バネを内在することにより外方へ伸長可能とした水平なパイプ材を予めＨ型鋼材のフランジ部に設けた孔に装着させると共に、そのフランジ部の外側にストッパー板を沿わせることにより、パイプ材のバネ材による伸長を制限する構成になつている。
【０００６】
このようなストッパー板とパイプ材付きのＨ型鋼材をソイルセメントの地中連続壁中に沈設し、その後、ソイルセメントが固化する前に、ストッパー板を上方に引き抜いて撤去することにより、パイプを地下水の通水路とすることが提案されている。
【０００７】
また、特開平１０−３１７３７０号公報には、両端を封鎖材で塞がれた水平なパイプ材をＨ型鋼材のフランジ部に設けた孔に予め装着させると共に、地上に続く圧力ホースによって外側に張り出すように構成された押し出し装置を前記のパイプ材内に内蔵させ、その押し出しにより外側に押し出される内管を前記のパイプ内に内蔵させ、地中連続壁の構築後、圧力パイプに油圧を掛け内管を張り出すことにより水平なパイプ材の封鎖材を破砕し、パイプ材を地下水が通る通水路とすることが提案されている。
【０００８】
【発明が解決しようとする課題】
しかし、特開平０８−２８４１５４号公報に開示された技術は、バネが内蔵された特殊な水平パイプを使用する必要がある。また、ストッパー板を引き抜く必要があり、さらにＨ形鋼の両フランジ部の外側で地中連続壁鋼製部材であるソイルセメントなどとの間で間隙を生じるばかりでなく、ソイルセメントなどの硬化によりストッパー板材の引き揚げ作業が困難になる恐れがある。
【０００９】
また、特開平１０−３１７３７０号公報に開示された技術は、地上に連続した圧力パイプとその圧力により内管を押し出すための押し出し装置が必要な技術であり、これらの圧力パイプと押し出し装置は地中に埋め込まれ回収不可能であるため、非常に高価なものになっている。
【００１０】
このように、いずれもパイプ内に特殊な仕掛けが必要であり、非常に高価になるという欠点がある。
【００１１】
本願発明の目的は、水平なパイプ内に特殊な仕掛けを必要とせず、またストッパー板を使用しなくとも、地下水が通る通水路を容易に形成可能な通水路形成パイプ部材、通水路を有する地中連続壁、および地中連続壁の通水路形成方法を提供することである。
【００１２】
【課題を解決するための手段】
請求項１記載の地中連続壁の通水路形成パイプ部材は、右上に開口するパイプ部と左下に開口するパイプ部、および左上に開口するパイプ部と右下に開口するパイプ部とがそれぞれ互いに一直線となるように連通して形成され、かつ前記左下に開口するパイプ部と前記右下に開口するパイプ部との間に双方のパイプ部に連通する水平パイプ部が設けられてなることを特徴とするものである。
【００１３】
請求項２記載の地中連続壁の通水路形成パイプ部材は、右上に開口するパイプ部と左下に開口するパイプ部、および左上に開口するパイプ部と右下に開口するパイプ部とがそれぞれ互いに一直線となるように連通して形成され、前記左下に開口するパイプ部と前記右下に開口するパイプ部との間に双方のパイプ部に連通する水平パイプ部が設けられ、前記左下に開口するパイプ部と前記右下に開口するパイプ部がそれぞれ、地中連続壁補強用断面Ｈ型の鋼製部材のフランジ部に設けられた穴部と連通し、かつ前記各パイプ部が前記鋼製部材のフランジ部またはウェブ部の少なくとも一方に固定されてなることを特徴とするものである。
【００１４】
請求項３記載の通水路を有する地中連続壁は、地中連続壁内に通水路形成パイプ部材が埋設され、前記通水路形成パイプ部材の右上に開口するパイプ部と左下に開口するパイプ部、および左上に開口するパイプ部と右下に開口するパイプ部とがそれぞれ互いに一直線となるように連通して形成され、前記左下に開口するパイプ部と前記右下に開口するパイプ部との間に双方のパイプ部に連通する水平パイプ部が設けられ、かつ前記左下に開口するパイプ部と前記右下に開口するパイプ部と前記水平パイプ部とから地中連続壁を貫通する通水路が形成されてなることを特徴とするものである。
【００１５】
請求項４記載の地中連続壁の通水路形成方法は、右上に開口するパイプ部と左下に開口するパイプ部、および左上に開口するパイプ部と右下に開口するパイプ部とがそれぞれ互いに一直線となるように連通して形成され、かつ前記左下に開口するパイプ部と前記右下に開口するパイプ部との間に双方のパイプ部に連通する水平パイプ部が設けられてなる通水路形成パイプ部材を、前記左下に開口するパイプ部および前記右下に開口するパイプ部をそれぞれ封鎖材で塞いだ状態で地中連続壁のソイルセメント内に沈設し、前記ソイルセメントが流動性を失った後、前記右上に開口するパイプ部と左上に開口するパイプ部より掘削装置をそれぞれ挿入して前記封鎖材とソイルセメントを除去することにより、前記左下に開口するパイプ部と前記右下に開口するパイプ部と前記水平パイプ部とからなる通水路を形成することを特徴とするものである。
【００１６】
即ち、本願発明の地中連続壁の通水路形成パイプ部材においては、右上に開口するパイプ部と左下に開口するパイプ部とが互いに一直線となるように連通して形成され、また左上に開口するパイプ部と右下に開口するパイプ部とが互いに一直線となるように連通して形成され、さらに左下および右下にそれぞれ開口する各下部パイプ部に連通する水平パイプ部設けられている。
【００１７】
なお、水平なパイプ部が左下に開口するパイプ部や前記右下に開口するパイプ部への固定度を高めるために、前記左下に開口するパイプ部の開口や前記右下に開口するパイプ部の開口よりも高い位置に水平パイプ部が設けられていることが好ましい。
【００１８】
但し、水平なパイプ部の下端が前記左下に開口するパイプ部の開口や前記右下に開口するパイプ部の開口の位置にあれば充分であり、さらに高い位置に水平なパイプ部が設けられるようにすると、より確実に水平なパイプ部を左下に開口するパイプ部や前記右下に開口するパイプ部に固定できる。
【００１９】
即ち、本願発明の地中連続壁の通水路形成パイプ部材においては、右上に開口するパイプ部と左下に開口するパイプ部とが互いに一直線となるように連通して形成され、また左上に開口するパイプ部と右下に開口するパイプ部とが互いに一直線となるように連通して形成され、さらに、前記左下に開口するパイプ部と前記右下に開口するパイプ部に連通する水平パイプ部が前記左下に開口するパイプ部の開口や前記右下に開口するパイプ部の開口よりも高い位置に設けられていることが好ましい。
【００２０】
このパイプ部材は、下記のように断面Ｈ型の鋼製部材と一体的に構成されている方が地中連続壁の施工の際にパイプ部材の沈設と地中壁の補強部材としてのＨ型鋼材の沈設が一工程で行えるので好ましい。
【００２１】
即ち、本願発明の更に好ましい形態のパイプ部材は、右上に開口するパイプ部と左下に開口するパイプ部とが互いに一直線となるように連通して形成され、左上に開口するパイプ部と右下に開口するパイプ部とが互いに一直線となるように連通して形成されていると共に、左右の下方に開口する各パイプ部に連通する水平パイプ部が右下のパイプ部の開口より上の部分と左下のパイプ部の開口よりも上の部分に設けられ、かつ鋼製部材のフランジ部に設けられた穴部が左下に開口するパイプ部と右下に開口するパイプ部のそれぞれのパイプ部の傾斜に合わせて設けられ、このように形成されたパイプ部が何れかの部分において鋼製部材のフランジ部またはウェブ部の少なくとも一方に固定されてなるものである。
【００２２】
前記したパイプ部材において左右の下部に開口するパイプ部に連通する水平パイプ部の存在位置は、最下部に近い方が通水路として好ましい。また、水平パイプ部より下部に、左下に開口するパイプ部や右下に開口するパイプ部が存在することが、後述するように、通水路の形成を掘削装置で通水路を形成し易いので好ましい形状である。
【００２３】
また、本願発明の通水路を有する地中連続壁は、右上に開口するパイプ部と左下に開口するパイプ部とが互いに一直線となるように構成されており、左上に開口するパイプ部と右下に開口するパイプ部とが互いに一直線となるように連通して形成されていると共に、左右の下部に開口する各パイプ部に連通する水平パイプ部が右下のパイプ部の開口と左下のパイプ部の開口よりも上の部分に設けられてなる通水路形成パイプ部材が地中連続壁中に埋設され、左右の下部に開口する各パイプ部と水平パイプ部とが通水路とされている。なお、上述したパイプ部材は断面Ｈ型の鋼製部材と一体的に構成されているのがよい。
【００２４】
また、本発明の地中連続壁の通水路形成方法は、右上に開口するパイプ部と左下に開口するパイプ部とが互いに一直線となるように構成されており、左上に開口するパイプ部と右下に開口するパイプ部とが互いに一直線となるように連通して形成されていると共に、左右の下部に開口するパイプ部に連通する水平パイプ部が右下のパイプ部の開口と左下のパイプ部の開口よりも上の部分に設けられている通水路形成パイプ部材を、その左右の下部パイプ部の開口端を封鎖材で塞いだ状態でソイルセメントの地中連続壁内に沈設し、ソイルセメントが流動性を失った後、封鎖材とソイルセメントを削除できる掘削装置を地上から挿入することにより、左右の下部に開口するパイプ部と水平パイプ部とからなる通水路を形成するものである。
【００２５】
【発明の実施の形態】
以下に図面を用いて本願発明の実施の形態を説明する。図１（ａ），（ｂ）で例示した本願発明の地中連続壁の通水路形成パイプ部材１（以下、「パイプ部材１」という）において、右上に開口するパイプ部１ａと左下に開口するパイプ部１ｂ、および左上に開口するパイプ部１ｃと右下に開口するパイプ部１ｄとがそれぞれ、互いに一直線をなすように１本のパイプから連通して形成されている。
【００２６】
水平なパイプ部４は、左下に開口するパイプ部１ｂと右下に開口するパイプ部１ｄの双方のパイプ部に連通するものであればよい。
【００２７】
但し、水平なパイプ部４をパイプ部１ｂと１ｄに連通させ、かつ双方のパイプ部１ｂと１ｄに確実に固定するためには、水平なパイプ部４の下端が前記左下に開口するパイプ部１ｂの開口や前記右下に開口するパイプ部１ｄの開口の位置に存在させることが好ましく、また図１（ａ），（ｂ）に示したように、パイプ部１ｂと１ｄの双方の下部に存在する開口部２ｂ，２ｄより上の部分に水平なパイプ部４を設ければよい。
【００２８】
また特に図１（ｂ）で例示したパイプ部材１においては、右上から左下に連続するパイプと左上から右下に連続するパイプの双方のパイプは、互いに交差する部分３において互いに連通している。
【００２９】
また、図２（ａ），（ｃ）に例示し、その側面図を（ｂ）に例示した本願発明の地中連続壁のパイプ部材１においては、右上に開口するパイプ部１ａと左下に開口するパイプ部１ｂ、左上に開口するパイプ部１ｃと右下に開口するパイプ部１ｄとがそれぞれ互いに一直線となるよう形成され、かつ交差する部分に幅広の中空部５が形成され、中空部５はパイプ部１ａと１ｃおよびパイプ部１ｂと１ｄに連通している。
【００３０】
なお、中空部５の下部はパイプ部１ｂとパイプ部１ｄよりも上の部分において設けられている。勿論、中空部５は、図２（ａ）に示すように、パイプ部１ａ，１ｃの近くまで設けず、図２（ｃ）に示すように、パイプ部１ｂ，１ｄよりに設けてもよい。さらに、各パイプの形状は一般的には円筒状のものが好ましいが、四角の筒状やその他の形状のものでもよい。
【００３１】
このように形成されたパイプ部材１が地中連続壁補強用断面Ｈ型の鋼製部材６に取り付けられた状態の一例を図３に示す。図３（ａ）は横から見た状態を示し、図３（ｂ）は図３（ａ）におけるｂ−ｂ部分の断面状態を示し、図３（ｃ）は図３（ａ）におけるｃ−ｃ部分の断面状態を示している。
【００３２】
先ず、図３（ａ）に示すように、鋼製部材６のフランジ部７ａに設けられた穴部８が、左下に開口するパイプ部１ｂと右下に開口するパイプ部１ｄのそれぞれの傾斜に合わせて設けられている。また、左上に開口するパイプ部１ｃの開口２ｃと右上に開口するパイプ部１ａの開口２ａは、その端部が断面Ｈ型の鋼製部材６のフランジ部７ａに接している。このようにして、図１（ａ）に示したパイプ部材１が何れかの部分において鋼製部材６のフランジ部７ａとウェブ部７ｂの少なくとも一方に固定されている。
【００３３】
このようにパイプ部材１を断面Ｈ型の鋼製部材６と一体的に構成する場合、図１（ｂ）や図２に示すような場合は、パイプ部材１の上部開口部でも下部開口部でも断面Ｈ型の鋼製部材６のウェブ部７ｂに沿った形で配置することができ、その結果として断面Ｈ型の鋼製部材６に設ける開口８を左右対称とすることができる。
【００３４】
しかし、図１（ａ）に示すように、右上に開口するパイプ部１ａと左下に開口するパイプ部１ｂ、および左上に開口するパイプ部１ｃと右下に開口するパイプ部１ｄとがそれぞれ１本のパイプから連続して形成され、かつ左右のパイプが交差する部分で互いに連通するように形成されていない場合は、右上に開口するパイプ部１ａと左上に開口するパイプ部１ｃとが断面Ｈ型の鋼製部材６のウェブ部７ｂと平行に配置すると、左下に開口するパイプ部１ｂと右下に開口するパイプ部１ｄとは断面Ｈ型の鋼製部材６のウェブ部７ｂと平行にはならないので、断面Ｈ型の鋼製部材６のフランジ部７ａに設ける穴部８は、下部のパイプ部の開口２ｂ，２ｄに合わせて互いに非平行な位置に設ける必要がある。
【００３５】
また、上記の図１（ｂ）に示すようなパイプ部材１を使用し、その下部の開口２ｂ，２ｄが断面Ｈ型の鋼製部材６のウェブ部７ｂと平行になるように配置すると、右上に開口するパイプ部１ａと左上に開口するパイプ部１ｃの部分では断面Ｈ型の鋼製部材６のウェブ部７ｂに対して互いに平行な位置に配置されることになる。
【００３６】
次に上記したパイプ部材を地中連続壁中に埋設する方法について説明する。
断面Ｈ型の鋼製部材を使用することなく、図１に例示したようなパイプ部材１を使用する場合も、図３に例示したように、断面Ｈ型の鋼製部材６と併用して使用する場合も、図４に示すようにして、下部のパイプ部１ｂ，１ｄの開口２ｂ，２ｄを粘土、蝋、パラフィン等の封鎖材９で塞ぎ、パイプ内にソイルセメントが入らないようにする。このようにパイプ部１ｂ，１ｄの開口２ｂ，２ｄを塞いだ状態で、ソイルセメント連続壁の未硬化状態で流動性を有するソイルセメント１０内に沈設され、図５に示すように、開口２ｂ，２ｄが地盤中の地下水脈がある透水層１１の位置に存在するように設置される。なお、符号１２は非透水性の地盤である。
【００３７】
次に、ソイルセメント１０が流動性を失った段階で、図５に示すように、封鎖材９とソイルセメントを削除できる掘削装置１３を地上の右上に開口するパイプ部１ａ、左上に開口するパイプ部１ｃからそれぞれ挿入することにより、封鎖材９およびその外側に存在するソイルセメントを破壊して、左下および右下にそれぞれ開口するパイプ部１ｂ，１ｄと水平パイプ部４とを連通させて通水路とする。
【００３８】
掘削装置としては、例えば図５に例示するようにドリル刃を有する掘削装置１３でもよく、また超高圧水ジェットによる掘削装置でもよい。
【００３９】
このように、左右の下部に開口するパイプ部１ｂ，１ｄと水平パイプ部４とを通水路とした状態で、好ましくは図６に示すように、上部パイプ部１ａ，１ｃを通じて、砂利、砕石などのドレーン材１４を落下させて、下部のパイプ部やそれに連続する下方空間内に充填し、通水路内を通して上流側の土砂の下流側への流出を抑えるようにする。
【００４０】
このようにして、地下水流の通水路を形成するが、地上の右上に開口するパイプ部１ａ、左上に開口するパイプ部１ｃから各パイプ内にファイバースコープなどの水流チェック装置（図省略）を降ろして、通水状態を監視することができる。また、通水路で目詰まりを起こして、通水量が落ちている場合は、先端に高圧ジェットを噴出できる噴射口を有するロッドを地表から各パイプを通して挿入し、水あるいは空気、場合によっては水と共に空気を高圧で噴射することにより目詰まりを解消できることで、常に所望の通水量を維持させることができる。このように、洗浄装置を下方に挿入し、下部パイプ部１ｂ，１ｄ内を洗浄することができ、目詰まりを解消でき、常に所望の通水量を維持させることができる。
【００４１】
このように、上部から各種の装置をパイプ部１ｂ，１ｄ内にまで確実に挿入することができる点からは、図１に示したように、右上に開口するパイプ部１ａと左下に開口するパイプ部１ｂとが互いに一直線となるようにパイプで形成されており、左上に開口するパイプ部１ｃと右下に開口するパイプ部１ｄとが互いに一直線となるようにパイプで形成されている構造のものが好ましい。
【００４２】
また、図７に示すように、左右の下部に開口するパイプ部１ｂ，１ｄと水平パイプ部４とが通水路となり得る構造の地中連続壁用のパイプ部材１を地中連続壁内に適当な間隔で設置する。
【００４３】
なお、図７において符号４は水平パイプ部を示している。また、パイプ部材１の設置間隔や、左右の下部に開口するパイプ部１ｂ，１ｄと水平パイプ部４の通水路となり得る部分の断面積の大きさ等は地下水流の流量等に応じて決めればよい。
【００４４】
また、地盤中に地下水脈が存在する透水層１１が上下に複数層存在する場合は、図８に例示するように、透水層１１の位置に合わせて通水路が形成できるように、左右の下部に開口するパイプ部１ｂ，１ｄの沈設位置を決めればよい。
【００４５】
図８における上部側の通水路が上部側の透水層１１の位置に形成され、下部よりの通水路が下部側の透水層１１に配置していることを図９に示した。
【００４６】
即ち、平面状態を示す図である図８（ａ）や側面状態を示す図である図８（ｂ）においては、左側の地中連続壁用のパイプ部材１が図９における上側の通水路１５を形成するためのものであり、右側の地中連続壁用のパイプ部材１が図９における下側の通水路１５を形成するためのものである。
【００４７】
【発明の効果】
本願発明の地中連続壁の通水路形成パイプ部材は、右上に開口するパイプ部と左下に開口するパイプ部、および左上に開口するパイプ部と右下に開口するパイプ部とがそれぞれ互いに一直線となるように連通して形成され、かつ前記左下に開口するパイプ部の開口よりも上の部分と前記右下に開口するパイプ部の開口よりも上の部分に前記左下に開口するパイプ部と前記右下に開口するパイプ部に連通する水平パイプ部が設けられてなるので、左右の各下部パイプ部の開口端を封鎖材で塞いだ状態でソイルセメントなどの地中連続壁中に沈設し、ソイルセメント等が流動性を失った後、各パイプの上部開口端から掘削装置を挿入することにより、封鎖材や外側のソイルセメント部分を除去することにより、左右の各パイプ部と水平パイプ部とからなる通水路を容易に形成することができる。
【００４８】
また、使用した掘削装置は用済み次第、地上に回収し、繰り返し再使用できるため、きわめて経済的である。
【００４９】
このように、本願発明の通水路形成パイプ部材は、従来例のように特殊な部材を水平なパイプ部に内在させる必要もなく装置として安価である。
【００５０】
また、パイプ部材内に地上からファイバースコープなどの水流チェック装置を降ろして、左右の各下部パイプ部分と水平パイプ部とで形成された通水路中での水流状態を監視することができる。また、流水路中で目詰まりを起こした場合も、洗浄装置を下方に挿入し、通水路を洗浄して目詰まりを解消できるため、常に所望の通水量を維持させることができる。
【００５１】
また、必要な場合は、パイプ部材内に地上から砂利、砕石等のドレーン材を落下させて、左右の各下部パイプ部内に充填することができる。
【００５２】
また、パイプ部材が断面Ｈ型の鋼製部材と一体的に形成されていることで、地中連続壁の施工の際にパイプ部材の沈設と地中連続壁の補強材としてのＨ型鋼材の沈設を一工程でおこなうことができ、効率的施工を図ることができる。
【００５３】
また、本願発明の通水路を有する地中連続壁は、左右の各下部パイプ部と水平パイプ部が通水路となると共に、地上に開口部を有する各上部パイプ部が存在するので、通水量の観測や、目詰まりを解消するための洗浄作業を地表面から実施することできる。
【００５４】
そして、本願発明の地中連続壁の通水路形成方法は、左右の各下部パイプ部の開口端を封鎖材で塞いで、ソイルセメントの地中連続壁中に沈設し、ソイルセメントが流動性を失った後、封鎖材とソイルセメントを削除できる掘削装置を地上から挿入することにより、左右の各パイプ部と水平パイプ部とからなる通水路を容易に形成することができる。
【図面の簡単な説明】
【図１】本願発明の通水路形成パイプ部材の２つの例を示す斜視図である。
【図２】本願発明の通水路形成パイプ部材の他の例を示し、（ａ），（ｃ）はその一部正面図、（ｂ）は側面図である。
【図３】（ａ）は、本願発明の通水路形成パイプ部材を断面Ｈ型の鋼製部材と共に一体化した例を示し、（ｂ）は（ａ）におけるｂ−ｂ線断面模式図、（ｃ）は（ａ）におけるｃ−ｃ線断面模式図である。
【図４】本願発明の通水路形成パイプ部材をソイルセメント中に埋設した状態を示す図である。
【図５】図４の状態から通水可能にする工程を示す図である。
【図６】ドレーン材を充填した状態を示す図である。
【図７】通水路形成パイプ部材が配された地中連続壁を示し、（ａ）はその横断面図、（ｂ）はその縦断面図である。
【図８】地下水路が上下に存在する場合の対処例を示し、（ａ）はその横断面図、（ｂ）はその縦断面図である。
【図９】地下水路が上下に存在する場合の対処例を示す図である。
【符号の説明】
１　パイプ部材（地中連続壁の通水路形成パイプ部材）
１ａ　右上に開口するパイプ部
１ｂ　左下に開口するパイプ部
１ｃ　左上に開口するパイプ部
１ｄ　右下に開口するパイプ部
２ａ　パイプの右上開口
２ｂ　パイプの左下開口
２ｃ　パイプの左上開口
２ｄ　パイプの右下開口
３　パイプの交差する部分
４　水平パイプ部
５　幅広の中空部
６　鋼製部材（地中連続壁補強用断面Ｈ型の鋼製部材）
７ａ　フランジ部
７ｂ　ウエブ部
８　フランジの開口部
９　封鎖材
１０　ソイルセメント
１１　透水層（地下水流層部）
１２　地盤
１３　掘削装置
１４　ドレーン材
１５　通水路
【図１】
2004092181.tif 000003
【図２】
2004092181.tif 000004
【図３】
2004092181.tif 000005
【図４】
2004092181.tif 000006
【図５】
2004092181.tif 000007
【図６】
2004092181.tif 000008
【図７】
2004092181.tif 000009
【図８】
2004092181.tif 000010
【図９】
2004092181.tif 000011